(57)【要約】【課題】  発電機のモジュラー界磁巻線用の冷却システム。【解決手段】  多数のコイル（２４）を有するモジュラー界磁巻線（１４）が、ロータコアの周りに配置される。軸方向に間隔をおいて配置されたスペーサが、円周方向に互い間隔をおいた状態にコイルを保持し、スペーサ及びコイルは、半径方向に向いた開口（２８）をロータ内に形成する。流れ配向エレメント（３０）が、開口内に設置されて、エレメントとコイルとの間の通路（３５、３９）に沿って半径方向外向き方向の冷却ガスの流速を一定又は増大した状態に維持し、熱伝達率を維持又は増大させ、それによってターンに対するガス流の冷却作用を高める。【選択図】      図１
2004320996.tif 000002
【特許請求の範囲】
【請求項１】
多極磁気コアを備えた発電機ロータ（１２）と、
円周方向に隣接するコイルがその間にほぼ楔状の開口（２８）を形成した状態で互いに円周方向に間隔をおいて配置された複数のコイル（２４）をその各々が備えた、前記ロータの周りで各極毎に１つ配置された複数のモジュラー界磁巻線（１４）と、
前記開口内に配置され、前記コイルと共に、冷却ガスを該コイルの半径方向内部から前記ロータの外周辺部に隣接する出口位置までほぼ半径方向外向き方向に流して該コイルを冷却するための通路（３５、３９）を形成する流れ配向エレメント（３０）と、
を含むことを特徴とする発電機用冷却システム。
【請求項２】
前記通路（３５、３９）が、円周方向に隣接する前記コイルに整合した、前記エレメントの表面内の溝（４０、４２、４４、４６）を含むことを特徴とする、請求項１に記載のシステム。
【請求項３】
前記エレメントの円周方向に対向する表面が、前記開口の対向する側面において前記隣接するコイルと組み合わされ、前記溝が、冷却ガスを流して前記隣接するコイルを冷却するように、前記エレメントの対向する側面に沿って位置していることを特徴とする、請求項３に記載のシステム。
【請求項４】
各モジュラー界磁巻線に沿って軸方向に間隔をおいた位置に設けられ、前記開口を軸方向に間隔をおいたアパーチャに分離する複数のバッフル（２６）を含み、前記エレメントが前記アパーチャ内に配置されていることを特徴とする、請求項１に記載のシステム。
【請求項５】
前記通路（３５）が、ほぼ一定の流速を維持するように、前記ロータの半径方向内部の位置から該ロータの外側表面に隣接する前記出口位置までほぼ一定の断面積を有することを特徴とする、請求項１に記載のシステム。
【請求項６】
前記通路（３９）が、流速を増大させるために、半径方向外向き方向に向かって実質的に減少する断面積を有することを特徴とする、請求項１に記載のシステム。
【請求項７】
前記エレメントが、ほぼ楔状であり、前記開口の半径方向外側部分に隣接する寸法的により大きい端部から半径方向内側に位置する寸法的により小さい端部を有することを特徴とする、請求項１乃至６のいづれか一項に記載のシステム。
【発明の詳細な説明】
【技術分野】
【０００１】
本発明は、ロータコア上に取付けるためのモジュラー界磁巻線を有する発電機に関し、具体的には、円周方向に隣接する巻線間に配置されて、半径方向外向きの界磁巻線用冷却流を最適化するための冷却流配向エレメントに関する。
【背景技術】
【０００２】
従来の発電機は、界磁巻線を支持するロータを有する。これらのロータは、一般的に円周方向に間隔において軸方向に延びるスロットを備えたロータコアを有し、該スロットが界磁巻線の各ターンを受ける。これらのロータスロットは、通常、スロットの半径方向外側端部に固定されたウエッジを有し、このウエッジが、ロータ回転時に発生する遠心力に抗して巻線を拘束する。組立時、巻線は、ロータコアのスロット内に一巻き一巻き取付けられる。従来の発電機界磁巻線ターンは、空気又は水素のような冷却媒体を、銅製ターン内に穿孔された軸方向溝又は半径方向孔を通して流すことにより冷却される。冷却ガス通路は機械加工されているため、該冷却ガス通路を最適化することにより、最大熱伝達をもたらすことが達成できる。
【発明の開示】
【発明が解決しようとする課題】
【０００３】
多極磁気コアを有する発電機ロータと各極毎に１つ配置された複数のモジュラー巻線組立体とを含むモジュラー界磁巻線システムが、開発されてきた。巻線組立体は、多極磁気コアの平行側面をもつ鍛造体上に嵌め込まれており、エンクロージャが、組立体を覆うように摺動可能になっている。巻線組立体はまた、巻線ターンの各々を互いに固定した関係に保持する一連の軸方向に間隔をおいて配置された巻線スペーサ又はバッフルを含む。軸方向に隣接するスペーサと円周方向に隣接するターンとの間の開口は、例えば空気又は水素などの冷却ガスをスペーサとターンとの間を半径方向外向きに流すための自然開口空間を形成する。この構成により、熱伝達表面積が増加することが分かる出あろう。しかしながら、冷却ガス速度、従って熱伝達率は、表面積の増加よりもむしろ冷却通路の形状寸法の作用をより大きく受ける。より具体的には、冷却ガス通路は、隣接するコイル間の空間が最も狭いコイル内部から半径方向に流れ、隣接するコイル間の空間が最も広い外径における出口まで半径方向外向きに流れる。従って、流れ速度（流速）は、半径方向外向き方向に向かって減少し、銅製ターンの対流熱伝達率が低下する。低い熱伝達率と組合されたより高温の下流側冷却ガスは、巻線の外径に沿って導体の局所的高温を引き起こす。
【課題を解決するための手段】
【０００４】
本発明の好ましい実施形態によると、流れ配向エレメントは、スペーサと巻線との間の開口内に挿入されて、ガス流が界磁巻線を通して半径方向外向き方向に流れる時に一定の又は増大した流速をもたらす。半径方向通路に沿って流速を維持又は増大させることにより、巻線のピーク温度が低下し、増大した流速により巻線の平均温度が低下することになる。従って、流れ配向エレメントがない場合に流速が減少するのと比較すると、断面積は一定に維持され、その結果流速は一定となり、従ってより高い比較熱伝達率を得ることができる。エレメントを、流れ面積が半径方向外向き方向に向かって減少するような形状とすることにより、流速、従って熱伝達率が、増大することになる。したがって、温度が最も高い、ターンの外径近くで最も高い熱伝達率を得ることができる。更に、コイル間の異なる区域に異なる寸法のエレメントを配備して、流速を増大させることにより、高温の区域において大きな熱伝達率を得ることもできる。異なる寸法のエレメントを用いることにより、流れの分布をより均一にし、その結果より均一な界磁巻線温度を得ることができる。
【０００５】
熱伝達率は、熱伝達強化表面又は流れ配向エレメント支持部材を使用することにより、更に増大させることが可能である。例えば、粗面、ディンプル、溝、又は渦発生装置を設けることなどにより、流れエレメントの表面を調整して、熱伝達率を効果的に増大させることができる。
【０００６】
本発明による好ましい実施形態においては、発電機用冷却システムが提供され、この発電機用冷却システムは、多極磁気コアを備えた発電機ロータと、円周方向に隣接するコイルがその間にほぼ楔状の開口を形成した状態で互いに円周方向に間隔をおいて配置された複数のコイルをその各々が備えた、ロータの周りで各極毎に１つ配置された複数のモジュラー界磁巻線と、開口内に配置され、コイルと共に、冷却ガスを該コイルの半径方向内部からロータの外周辺部に隣接する出口位置までほぼ半径方向外向き方向に流して該コイルを冷却するための通路を形成する流れ配向エレメントとを含む。
【０００７】
本発明による別の好ましい実施形態においては、発電機用冷却システムが提供され、この発電機用冷却システムは、発電機ロータと、円周方向に隣接するコイルがその間に開口を形成した状態で互いに円周方向に間隔をおいて配置された複数のコイルをその各々が備えた、ロータの周りに配置された複数のモジュラー界磁巻線と、冷却ガス流をコイルに沿って該コイルの半径方向内部からロータの外周辺部に隣接する出口位置までほぼ半径方向外向き方向に配向して該コイルを冷却するための、開口内においてコイル間に配置された手段とを含み、該冷却ガス配向手段は、半径方向外向き方向の冷却ガスに一定の又は増大した流速を与える円周方向に隣接するコイル冷却流路を形成するように構成されている。
【発明を実施するための最良の形態】
【０００８】
図１を参照すると、全体を符号１０で表した例示的な発電機の斜視図が示されており、該発電機１０は、ロータ１２と、ロータ１２と共に回転するように該ロータ上に取付けられたモジュラー界磁巻線又はターン１４とを有する。図示するように、ほぼ円筒状エンクロージャ１６が更に、ロータの一部を形成するものとして示され、またこのエンクロージャ１６は、解り易くするために、ロータ及びモジュラー界磁巻線１４を覆う正規位置から軸方向に間隔をおいて後方に後退させて示されている。発電機のステータは、図示していない。ロータの周りにモジュラー界磁巻線を有する発電機１０の全体的な説明は、２００１年１０月１６日にＹｕ  Ｗａｎｇ他の名前で出願された、「同期機械に取付け可能な界磁巻線組立体のための装置及び方法」の名称の米国特許出願番号第０９／９７７，２１１号に記載されており、その開示内容は、参考文献として本明細書に組み入れられる。あえて言えば、ロータ１２は、多極磁気コアを形成する複数の極１８と、各極毎に１つの巻線が配置された複数のモジュラー界磁巻線１４とを含む。ロータ１２は更に、ロータコアから半径方向外向きに突出する一対のフィン２０を含む。
【０００９】
図示したロータにおいて、モジュラー界磁巻線１４は各々、極１８を受ける中央開口２２を含む。巻線１４は、軸方向及び円周方向に互いに間隔をおいて配置される。例えば、図示するように、巻線１４を形成する軸方向に延びるコイル２４は、一連の軸方向に間隔をおいて配置されたスペーサ又はバッフル２６により、互いに円周方向に間隔をおいて配置される。バッフル２６は、ロックバー（図示せず）によりフィン２０に固定されて、モジュラー巻線１４を極１８に対して固定する。図１を見ると分かるように、軸方向に延びるコイル２４は、円周方向に互いに間隔をおいて配置され、またスペーサ２６は、軸方向に互いに間隔をおいて配置される。その結果、コイル２４とスペーサ２６とは、ほぼ半径方向にロータコア近くからロータの半径方向外側外部表面まで延びる複数のほぼ楔状の開口又はアパーチャ２８を形成する。例えば空気又は水素などの冷却ガスは、ロータの半径方向内部から開口２８を通して半径方向外向き方向に流れて巻線１４を冷却することができることが分かるであろう。この構成の場合、開口２８は、半径方向外向き方向に向かって増加する断面積を有することも分かるであろう。従って、ロータの内部から開口２８を通して外向きに半径方向に流れる冷却ガスは、一般的に速度が減少し、それにより熱伝達率が低下することになる。
【００１０】
熱伝達率を高めるために、冷却ガス流をターンに沿ってコイルの半径方向内部からロータの外周辺部に隣接する出口位置までほぼ半径方向外向き方向に配向してコイルを冷却するための手段が設けられる。例えば、この流れ配向手段は、各々の開口２８内に配置された流れ配向エレメント３０を含むことができる。流れ配向エレメントは、例えば熱可塑性材料のような、非導電性材料で形成されることができ、或いはその表面に沿って適切な電気絶縁が施された金属とすることもできる。図３に拡大した形態で示すように、流れ配向エレメント３０は、コイル２４と円周方向に整合した側面３２と、スペーサ２６と軸方向に整合した側面３３とを有する切頭セクタの形態を取ることができる。図３に示すように、エレメント３０と円周方向に隣接するコイル２４とは、円周方向整合表面３２とコイル２４との間に半径方向に断面積がほぼ一定になっている流路３５を形成する。従って、エレメント３０とターン２４との間の流速は、一定に保たれ、熱伝達率もまた、ターンの半径方向範囲全体にわたり一定に保たれる。
【００１１】
図４では、流れエレメント３０は、ディンプル３８により円周方向に隣接するコイル２４から間隔をおいて配置され、従ってディンプル３８は、エレメント３０をコイル２４から間隔をおいて位置させ、ほぼ一定の流れ面積を有する流路３５を形成する。円周方向に隣接する巻線と整合した流れエレメントの表面は、ターンの整合した表面との間で集束するようにすることができることも理解されたい。例えば図５に示すように、流れ配向エレメント３０は、半径方向外向き方向において円周方向に整合した隣接するターンに向かって傾いた傾斜表面３７を有する。この形状寸法において、それらの間の流路３９の断面積は、半径方向外向き方向に向かって減少する。このことにより、流速が増大し、従ってそのことによって、より大きな冷却効果のための熱伝達率が増大する。従って、より高温の下流側、即ち半径方向外側に導かれたガスは、流路の半径方向最内部分での熱伝達率と比較して同一又は更に大きい熱伝達率を依然として持つことができる。
【００１２】
図６〜図９に示すのは、ターン２４に対向する流れエレメントの整合表面３２又は３７内に形成された一連の表面構成である。図６では、複数の全体的に傾斜した溝４０が、表面３２又は３７内に形成される。図７では、溝４２は、図５におけるように傾斜させるのではなくて半径方向に向けられることができる。図８では、一連の交差する溝４４及び４６が、冷却エレメント３０の表面３２及び３７内に示されている。図９は、エレメント３０の側表面３２又は３７内における、図７及び図８の溝４２、４４及び４６の組合せを示す。溝の表面積を調整して、流れ配向エレメント３０とターン２４との間の他の区域の流速と比較して高温区域における流速を増大させることにより、高い熱伝達率を得ることができることが分かるであろう。また、図４に戻ると、スタンドオフ３８は、ディンプル又は渦発生装置又は表面粗さを含むことができ、それらの全てが、高い熱伝達率をもたらすことができる。
【００１３】
現在最も実用的かつ好ましい実施形態と考えられるものに関連して本発明を説明してきたが、本発明は開示した実施形態に限定されるものではなく、また特許請求の範囲に示した参照符号は本発明の技術的範囲を狭めるためのものではなく、それらを容易に理解するためのものであることを理解されたい。
【図面の簡単な説明】
【００１４】
【図１】ロータと、モジュラー巻線ターンと、モジュラー巻線を明示するために該モジュラー巻線から後退させた円筒状エンクロージャとを有する例示的な発電機の破断斜視図である。
【図２】軸方向に隣接するスペーサと円周方向に隣接する巻線ターンとの間の開口を示す拡大破断斜視図である。
【図３】一定断面積の冷却ガス通路を形成する、円周方向に隣接する巻線ターン間の流れ配向エレメントの概略図である。
【図４】流れ配向エレメントのためのスタンドオフを示す、図３と同様の図である。
【図５】半径方向外向き方向に冷却ガス通路を覆っているのを示す、図３と同様の図である。
【図６】スペーサとターンとの間に配置された流れ配向エレメントの１つの表面構成を示す図である。
【図７】スペーサとターンとの間に配置された流れ配向エレメントの別の表面構成を示す図である。
【図８】スペーサとターンとの間に配置された流れ配向エレメントの別の表面構成を示す図である。
【図９】スペーサとターンとの間に配置された流れ配向エレメントの別の表面構成を示す図である。
【符号の説明】
【００１５】
１０  発電機
１２  ロータ
１４  モジュラー界磁巻線
１６  エンクロージャ
１８  極
２０  フィン
２２  中央開口
２４  コイル
２６  スペーサ
２８  開口
３０  流れ配向エレメント
【図１】
2004320996.tif 000003
【図２】
2004320996.tif 000004
【図３】
2004320996.tif 000005
【図４】
2004320996.tif 000006
【図５】
2004320996.tif 000007
【図６】
2004320996.tif 000008
【図７】
2004320996.tif 000009
【図８】
2004320996.tif 000010
【図９】
2004320996.tif 000011